(57)【要約】【課題】簡素な構造で濾紙に常に一定のテンションをかけることができ、濾紙の蛇行を防止して搬送安定性に優れ、濾紙の送り量を簡便に調整でき、汎用性に優れ、繰り出しロール及び巻き取りロールの径が変化しても、複雑な制御を行うことなく、簡便かつ確実に一定量の濾紙の供給及び回収を行うことができ、汎用性、動作安定性に優れる濾紙送り機構の提供。【解決手段】濾過部へ濾紙を供給する繰り出しロールと、濾過部から濾紙を回収する巻き取りロールと、繰り出しロールから濾過部へ濾紙の搬送を行う搬送ロールと、濾過部の前後で濾紙を支持する繰り出し側支持ロール及び巻き取り側支持ロールと、搬送ロールと繰り出し側支持ロールの間で濾紙上に上下動自在に載置された送り量調整ロールと、送り量調整ロールの位置を検出するロール位置検出部と、繰り出しロールを回転させる繰り出し駆動部と、巻き取りロールを回転させる巻き取り駆動部と、を備えている。【選択図】図１
0003129213.tif 000002
【実用新案登録請求の範囲】
【請求項１】
溶液中の不純物を濾過して除去する濾過装置の濾過部への濾紙の供給及び回収を行う濾紙送り機構であって、前記濾過部への前記濾紙の供給を行う繰り出しロールと、前記濾過部から使用済みの濾紙を巻き取って回収する巻き取りロールと、前記繰り出しロールから前記濾過部へ前記濾紙の搬送を行う搬送ロールと、前記濾過部の前記繰り出しロール側に配置され前記濾紙を支持する繰り出し側支持ロールと、前記濾過部の前記巻き取りロール側に配置され前記濾紙を支持する巻き取り側支持ロールと、前記搬送ロールと前記繰り出し側支持ロールの間で前記濾紙上に上下動自在に載置された送り量調整ロールと、前記送り量調整ロールの位置を検出するロール位置検出部と、前記ロール位置検出部で前記送り量調整ロールが上端設定位置にあることを検出した時に前記ロール位置検出部で前記送り量調整ロールが下端設定位置に移動したことを検出するまで前記繰り出しロールを回転させて前記濾紙の繰り出しを行う繰り出し駆動部と、前記ロール位置検出部で前記送り量調整ロールが下端設定位置にあることを検出した時に前記ロール位置検出部で前記送り量調整ロールが上端設定位置に移動したことを検出するまで前記巻き取りロールを回転させて前記濾紙の巻き取りを行う巻き取り駆動部と、備えたことを特徴とする濾紙送り機構。
【請求項２】
前記送り量調整ロールの両端部を上下動自在に保持して案内する上下動案内部を備えたことを特徴とする請求項１に記載の濾紙送り機構。
【請求項３】
前記ロール位置検出部が、前記送り量調整ロールが前記上端設定位置にあることを検出する上端位置センサと、前記送り量調整ロールが前記下端設定位置にあることを検出する下端位置センサと、を備えたことを特徴とする請求項１又は２に記載の濾紙送り機構。
【請求項４】
前記ロール位置検出部の前記上端位置センサ及び前記下端位置センサの少なくともいずれか一方の上下方向位置を調整するセンサ位置調整部を備えたことを特徴とする請求項３に記載の濾紙送り機構。
【請求項５】
試験液供給部と濾液受容部とを有する濾過部と、請求項１乃至４の内いずれか１項に記載の濾紙送り機構を備えたことを特徴とする濾過装置。
【請求項６】
前記濾紙送り機構による前記濾過部への濾紙の供給及び回収を行う際には前記試験液供給部及び前記濾液受容部と前記濾紙が接触しないように前記試験液供給部と前記濾液受容部を離間させ、前記濾過部で濾過を行う際には前記試験液供給部と前記濾液受容部の間に前記濾紙を挟んで固定する間隔調整部を備えたことを特徴とする請求項５に記載の濾過装置。
【考案の詳細な説明】
【技術分野】
【０００１】
本考案は、土壌溶出液、廃棄物溶出液、土壌含有量調査試験液、粉流体や樹脂などの溶解液、スラリーなど各種溶液の濾過を行う濾過装置の濾過部への濾紙の供給及び回収を行う濾紙送り機構及びそれを備えた濾過装置に関するものである。
【背景技術】
【０００２】
従来、分析用試験液などの濾過装置においては、ロール状の濾紙（フィルター）を自動送りするものが用いられており、例えば（特許文献１）には、「分析用試験液を濾過する方法において、フィルターの閉塞速度があらかじめわかっている場合に、一定時間経過毎に自動的にフィルターを送ることを特徴とする分析用試験液の濾過装置。」が開示されている。このような濾過装置については、濾紙に掛かるテンションに対応して送り速度を変化させるものが知られている。
一方、（特許文献２）には、「各材料ロールと巻取ロールとの間にあるシート材上には、上下動自在かつシート材の幅方向に沿って傾き自在に支持されたダンサローラが載置されており、このダンサローラの上方には、ダンサローラとの離間距離を検出する測長センサが設けられていることを特徴とするシート材巻取装置。」が開示されている。
【特許文献１】特開２００５−２６５４１３号公報
【特許文献２】実用新案登録第２５９７３３９号公報
【考案の開示】
【考案が解決しようとする課題】
【０００３】
しかしながら上記従来の技術は、以下のような課題を有していた。
（１）（特許文献１）では、メンブレンフィルターロールに巻回されたフィルターをただ単にフィルター巻上げロールで巻上げてフィルターを送るだけなので、フィルターのテンションを一定に保つことは困難であり、フィルターに皺がよったり、フィルターが蛇行したりし易く、フィルターの搬送の信頼性、安定性に欠けるという課題を有していた。
（２）（特許文献２）は、シート材を連続的に供給するものであり、ダンサローラの位置を検出し、ダンサローラの位置が略一定となるように送り速度（回転速度）を調整するものであって、常にダンサローラの位置を監視しながら、細かく送り速度を調整する必要があり、制御が煩雑で取り扱い性に欠けるという課題を有していた。
また、ダンサローラの位置検出を行い、その位置が略一定となるように送り速度（回転速度）を調整するためには、ある程度の送り量が必要であり、（特許文献１）のように、シート材（フィルター）を短い送り量で断続的に送るものに適用することは困難であり、汎用性、動作安定性に欠けるという課題を有していた。
【０００４】
本考案は上記従来の課題を解決するもので、簡素な構造で濾紙に常に一定のテンションをかけることができ、濾紙の蛇行を確実に防止することや濾紙の破断を検出することができ、搬送の安定性に優れ、濾紙の送り量を簡便に調整することができ、汎用性に優れ、濾紙の使用量によって濾紙の供給を行う繰り出しロール及び使用済みの濾紙の回収を行う巻き取りロールの径が変化しても、複雑な制御を行うことなく、簡便かつ確実に一定量の濾紙の供給及び回収を行うことができ、汎用性、動作安定性に優れる濾紙送り機構の提供、及び断続的に濾紙の供給及び回収を行うことができ、無駄なく効率的に濾紙を使用することができる省資源性に優れる濾過装置の提供を目的とする。
【課題を解決するための手段】
【０００５】
上記従来の課題を解決するために本考案の濾紙送り機構及びそれを備えた濾過装置は、以下の構成を有している。
本考案の請求項１に記載の濾紙送り機構は、溶液中の不純物を濾過して除去する濾過装置の濾過部への濾紙の供給及び回収を行う濾紙送り機構であって、前記濾過部への前記濾紙の供給を行う繰り出しロールと、前記濾過部から使用済みの濾紙を巻き取って回収する巻き取りロールと、前記繰り出しロールから前記濾過部へ前記濾紙の搬送を行う搬送ロールと、前記濾過部の前記繰り出しロール側に配置され前記濾紙を支持する繰り出し側支持ロールと、前記濾過部の前記巻き取りロール側に配置され前記濾紙を支持する巻き取り側支持ロールと、前記搬送ロールと前記繰り出し側支持ロールの間で前記濾紙上に上下動自在に載置された送り量調整ロールと、前記送り量調整ロールの位置を検出するロール位置検出部と、前記ロール位置検出部で前記送り量調整ロールが上端設定位置にあることを検出した時に前記ロール位置検出部で前記送り量調整ロールが下端設定位置に移動したことを検出するまで前記繰り出しロールを回転させて前記濾紙の繰り出しを行う繰り出し駆動部と、前記ロール位置検出部で前記送り量調整ロールが下端設定位置にあることを検出した時に前記ロール位置検出部で前記送り量調整ロールが上端設定位置に移動したことを検出するまで前記巻き取りロールを回転させて前記濾紙の巻き取りを行う巻き取り駆動部と、を備えた構成を有している。
この構成により、以下のような作用が得られる。
（１）繰り出しロールから濾過部へ濾紙の搬送を行う搬送ロールと濾過部の繰り出しロール側に配置され濾紙を支持する繰り出し側支持ロールの間で濾紙上に上下動自在に載置された送り量調整ロールを有するので、送り量調整ロールの質量により、濾紙に対して常に一定のテンションをかけることができ、濾紙の蛇行を確実に防止することができ、搬送の安定性に優れると共に、濾紙が破断した際には、送り量調整ロールが落下することにより、簡便かつ確実に濾紙の破断を検出することができ、取り扱い性に優れる。
（２）ロール位置検出部で送り量調整ロールが上端設定位置にあることを検出した時に、ロール位置検出部で送り量調整ロールが下端設定位置に移動したことを検出するまで繰り出しロールを回転させて濾紙の繰り出しを行う繰り出し駆動部と、ロール位置検出部で送り量調整ロールが下端設定位置にあることを検出した時に、ロール位置検出部で送り量調整ロールが上端設定位置に移動したことを検出するまで巻き取りロールを回転させて濾紙の巻き取りを行う巻き取り駆動部を有することにより、送り量調整ロールの高さ方向の位置に基づいて、濾紙の供給と回収を行うので、経時的に繰り出しロール及び巻き取りロールの径が変化しても、確実に一定量の濾紙の供給と回収を断続的に繰り返し行うことができ、制御が容易で、汎用性、動作安定性に優れる。
（３）繰り出しロールを回転させて濾紙の繰り出しを行う繰り出し駆動部と、巻き取りロールを回転させて濾紙の巻き取りを行う巻き取り駆動部が独立しているので、確実に一定量の濾紙の供給と回収を行うことができ、動作安定性に優れる。
（４）ロール位置検出部では、送り量調整ロールが上端設定位置或いは下端設定位置にあることのみを検出すればよいので、送り量調整ロールの位置を制御する必要がなく、制御が容易で取り扱い性に優れる。
（５）上端設定位置から下端設定位置までの距離により濾紙の送り量を決定することができるので、濾過部で濾過する溶液の種類や濾紙の材質などによって変化する濾紙の濡れ範囲に応じて、上端設定位置又は下端設定位置の少なくともいずれか一方を調整することにより、無駄なく効率的に濾紙の供給及び回収を行うことができ、省資源性に優れる。
（６）濾過部の繰り出しロール側に配置され濾紙を支持する繰り出し側支持ロールと、濾過部の巻き取りロール側に配置され濾紙を支持する巻き取り側支持ロールを有することにより、濾過部の前後で確実に濾紙を支持することができ、濾紙の搬送性に優れる。
【０００６】
ここで、送り量調整ロールは、濾紙に負荷するテンションの大きさに合わせて、適宜、質量や直径などを選択することができる。
ロール位置検出部は、送り量調整ロールの高さ方向の位置を検出するものであるが、少なくとも送り量調整ロールが上端設定位置及び下端設定位置にあることを検出できればよく、送り量調整ロールの高さ方向の位置を常に監視する必要はない。よって、上端設定位置及び下端設定位置で直接、送り量調整ロールに接触してその位置を検出する接触式のセンサを用いることができる。また、上端側又は下端側の少なくともいずれか一方に非接触式のセンサを配置し、送り量調整ロールとの距離を検出してもよい。
繰り出し駆動部及び巻き取り駆動部は、繰り出しロール及び巻き取りロールを一方向に一定速度で回転させることができるものであればよく、直流モータや交流モータ等の安価なモータを用いることができる。
【０００７】
請求項２に記載の考案は、請求項１に記載の濾紙送り機構であって、前記送り量調整ロールの両端部を上下動自在に保持して案内する上下動案内部を備えた構成を有している。
この構成により、請求項１で得られる作用に加え、以下のような作用が得られる。
（１）送り量調整ロールの両端部を上下動自在に保持して案内する上下動案内部を有することにより、送り量調整ロールを確実に上下動させることができ、濾紙の幅全体に均一にテンションをかけることができ、濾紙の搬送の安定性に優れる。
（２）送り量調整ロールが上下動案内部で保持されているので、濾紙が切れた場合でも、送り量調整ロールが外部に落下することがなく、信頼性に優れる。
ここで、上下動案内部としては、長尺状に形成され、送り量調整ロールの両端部が遊嵌される長孔若しくは溝を有するものが好適に用いられる。
【０００８】
請求項３に記載の考案は、請求項１又は２に記載の濾紙送り機構であって、前記ロール位置検出部が、前記送り量調整ロールが前記上端設定位置にあることを検出する上端位置センサと、前記送り量調整ロールが前記下端設定位置にあることを検出する下端位置センサと、を備えた構成を有している。
この構成により、請求項１又は２で得られる作用に加え、以下のような作用が得られる。
（１）ロール位置検出部が、送り量調整ロールが上端設定位置にあることを検出する上端位置センサと、送り量調整ロールが下端設定位置にあることを検出する下端位置センサを有することにより、上端位置センサ及び下端位置センサでそれぞれ独立して、送り量調整ロールが、上端設定位置又は下端設定位置にあることを検出することができるので、位置検出精度の信頼性に優れ、繰り出しロールや巻き取りロールの径が変化しても、常に安定して一定量の濾紙を搬送することができ、濾紙の供給及び回収の動作安定性に優れる。
（２）濾紙が切れた場合、送り量調整ロールが下端位置から移動しなくなるので、所定時間経過後に、下端位置センサによって濾紙が切れたことを検知することができ、取り扱い性、信頼性に優れる。
【０００９】
ここで、上端位置センサ及び下端位置センサは、前述のように接触式でも非接触式でもよい。特に、鉄などの磁性金属が近接したことを検出するセンサを用いた場合、外乱光、ごみ、ホコリ等で誤動作することがなく、確実に位置を検出でき、動作安定性、メンテナンス性に優れる。
【００１０】
請求項４に記載の考案は、請求項３に記載の濾紙送り機構であって、前記ロール位置検出部の前記上端位置センサ及び前記下端位置センサの少なくともいずれか一方の上下方向位置を調整するセンサ位置調整部を備えた構成を有している。
この構成により、請求項３で得られる作用に加え、以下のような作用が得られる。
（１）ロール位置検出部の上端位置センサ及び下端位置センサの少なくともいずれか一方の上下方向位置を調整するセンサ位置調整部を有することにより、簡便に上端設定位置から下端設定位置までの距離を変更して濾紙の送り量を調整することができ、汎用性、取り扱い性に優れる。
【００１１】
ここで、センサ位置調整部としては、上端位置センサ又は下端位置センサを位置決めして固定できるものであればよい。例えば上下方向に複数の取り付け孔を穿設しておき、濾紙の送り量に応じていずれかの取り付け孔を選択し、ねじ止めなどの固定手段で固定するものが好適に用いられる。尚、複数の取り付け孔を穿設する代わりに、取り付け孔を上下方向に長孔状に形成した場合、上端位置センサ又は下端位置センサを任意の位置に固定することができるので、取り付け位置を細かく設定することができ、汎用性に優れる。
【００１２】
本考案の請求項５に記載の濾過装置は、試験液供給部と濾液受容部とを有する濾過部と、請求項１乃至４の内いずれか１項に記載の濾紙送り機構を備えた構成を有している。
この構成により、以下のような作用が得られる。
（１）試験液供給部と濾液受容部の間に濾紙送り機構から供給される濾紙を通すことにより、濾過部で真空又は加圧濾過を行うことができる。
（２）濾紙送り機構により、濾紙に対して常に一定のテンションをかけることができ、濾紙の蛇行を確実に防止することができ、濾過部での濾過条件の安定性に優れる。
（３）濾紙送り機構により、濾過部に対して断続的に濾紙の供給及び回収を行うことができ、無駄なく効率的に濾紙を使用することができ省資源性に優れる。
【００１３】
ここで、濾過部での濾過は真空濾過でも加圧濾過でもよい。特に加圧濾過の場合、真空濾過に比べて大きな圧力をかけることができ、短時間で濾過を行うことができるので濾過の効率性に優れる。
濾紙が破断し、送り量調整ロールが落下した際に、ランプの点灯や点滅或いは警告音などにより濾紙の破断を知らせる警報部を備えた場合、直ちに濾紙の交換、供給を行うことができ、取り扱い性に優れる。
尚、ロール位置検出部により、送り量調整ロールが下端設定位置にあることを検出できるので、所定時間が経過しても送り量調整ロールが下端設定位置から移動しない場合に、濾紙切れ或いは動作不良と判断して警報を発することができ、信頼性に優れる。また、濾過部に濾紙検出センサを設けた場合、確実に濾紙切れを検出することができ、メンテナンス性に優れる。
【００１４】
請求項６に記載の考案は、請求項５に記載の濾過装置であって、前記濾紙送り機構による前記濾過部への濾紙の供給及び回収を行う際には前記試験液供給部及び前記濾液受容部と前記濾紙が接触しないように前記試験液供給部と前記濾液受容部を離間させ、前記濾過部で濾過を行う際には前記試験液供給部と前記濾液受容部の間に前記濾紙を挟んで固定する間隔調整部を備えた構成を有している。
この構成により、請求項５で得られる作用に加え、以下のような作用が得られる。
（１）濾紙送り機構による濾過部への濾紙の供給及び回収を行う際に、試験液供給部及び濾液受容部と濾紙が接触しないように試験液供給部と濾液受容部を離間させる間隔調整部を有することにより、濾紙が試験液供給部及び濾液受容部に引っ掛かることがなく、濾紙表面に捕捉された汚泥などの異物が試験液供給部に付着したり、濾紙が破断したりすることがなく、濾紙の搬送の信頼性に優れる。
（２）濾過部で濾過を行う際には、間隔調整部により、試験液供給部と濾液受容部の間に濾紙を挟んで固定することができるので、確実に真空又は加圧濾過を行うことができ、濾過の信頼性に優れる。
（３）間隔調整部によって試験液供給部と濾液受容部の間隔を調整し、濾紙を挟んだり、開放したりする際に濾紙が移動するが、濾紙送り機構の送り量調整ローラが上下動することにより、濾紙に負荷がかからず、テンションが変化しないので、濾紙の破断などが発生することがなく、濾過作業の信頼性に優れる。
【００１５】
ここで、間隔調整部は、試験液供給部と濾液受容部の間隔を調整できるものであればよいので、試験液供給部又は濾液受容部の少なくともいずれか一方を上下動させることができればよい。試験液供給部と濾液受容部を離間させ、濾紙を開放した際に、繰り出し側支持ロール及び巻き取り側支持ロールによって支持される濾紙の支持高さよりも、濾液受容部の濾紙受け面の位置を低く設定することにより、濾紙の供給及び回収を行う際に、濾紙が試験液供給部や濾液受容部に接触することを防止できる。
【考案の効果】
【００１６】
以上のように、本考案の濾紙送り機構及びそれを備えた濾過装置によれば、以下のような有利な効果が得られる。
請求項１に記載の考案によれば、以下のような有利な効果が得られる。
（１）繰り出しロール及び巻き取りロールの間に配設され繰り出しロールから濾過部へ濾紙の搬送を行う搬送ロールと濾過部の繰り出しロール側に配置され濾紙を支持する繰り出し側支持ロールの間で濾紙上に上下動自在に載置された送り量調整ロールを有するので、送り量調整ロールの質量により、濾紙に対して常に一定のテンションをかけることができ、濾紙の蛇行を確実に防止することができ、搬送の安定性に優れると共に、濾紙が破断した際には、送り量調整ロールが落下することにより、簡便かつ確実に濾紙の破断を検出することができる取り扱い性に優れた濾紙送り機構を提供することができる。
（２）ロール位置検出部で送り量調整ロールが上端設定位置にあることを検出した時に、ロール位置検出部で送り量調整ロールが下端設定位置に移動したことを検出するまで繰り出しロールを回転させて濾紙の繰り出しを行う繰り出し駆動部と、ロール位置検出部で送り量調整ロールが下端設定位置にあることを検出した時に、ロール位置検出部で送り量調整ロールが上端設定位置に移動したことを検出するまで巻き取りロールを回転させて濾紙の巻き取りを行う巻き取り駆動部を有することにより、送り量調整ロールの高さ方向の位置に基づいて、濾紙の供給と回収を行うので、経時的に繰り出しロール及び巻き取りロールの径が変化しても、確実に一定量の濾紙の供給と回収を断続的に繰り返し行うことができる制御が容易で、汎用性、動作安定性に優れた濾紙送り機構を提供することができる。
（３）繰り出しロールを回転させて濾紙の繰り出しを行う繰り出し駆動部と、巻き取りロールを回転させて濾紙の巻き取りを行う巻き取り駆動部が独立していることにより、確実に一定量の濾紙の供給と回収を行うことができる動作安定性に優れた濾紙送り機構を提供することができる。
（４）濾過部で濾過する溶液の種類や濾紙の材質などによって変化する濾紙の濡れ範囲に応じて、上端設定位置又は下端設定位置の少なくともいずれか一方を調整することにより、濾紙の送り量を決定することができ、無駄なく効率的に濾紙の供給及び回収を行うことができる省資源性に優れた濾紙送り機構を提供することができる。
（５）繰り出し側支持ロールと巻き取り側支持ロールにより、濾過部の前後で濾紙を略水平に支持することができる濾紙の搬送性に優れた濾紙送り機構を提供することができる。
【００１７】
請求項２に記載の考案によれば、請求項１に記載の効果に加えて以下のような有利な効果が得られる。
（１）送り量調整ロールの両端部を上下動自在に保持して案内する上下動案内部により、送り量調整ロールを確実に上下動させることができ、濾紙の幅全体に均一にテンションをかけることができる濾紙の搬送の安定性に優れた濾紙送り機構を提供することができる。
【００１８】
請求項３に記載の考案によれば、請求項１又は２に記載の効果に加えて以下のような有利な効果が得られる。
（１）ロール位置検出部の上端位置センサ及び下端位置センサでそれぞれ独立して、送り量調整ロールが、上端設定位置又は下端設定位置にあることを検出することができ位置検出精度の信頼性に優れると共に、繰り出しロールや巻き取りロールの径が変化しても、常に安定して一定量の濾紙を搬送することができる濾紙の供給及び回収の動作安定性に優れた濾紙送り機構を提供することができる。
【００１９】
請求項４に記載の考案によれば、請求項３に記載の効果に加えて以下のような有利な効果が得られる。
（１）ロール位置検出部の上端位置センサ及び下端位置センサの少なくともいずれか一方の上下方向位置を調整するセンサ位置調整部により、簡便に上端設定位置から下端設定位置までの距離を変更して濾紙の送り量を調整することができる汎用性、取り扱い性に優れた濾紙送り機構を提供することができる。
【００２０】
請求項５に記載の考案によれば、以下のような有利な効果が得られる。
（１）濾紙送り機構により、濾紙に対して常に一定のテンションをかけることができ、濾紙の蛇行を確実に防止することができる濾過部での濾過条件の安定性に優れた濾過装置を提供することができる。
（２）濾紙送り機構により、濾過部に対して断続的に濾紙の供給及び回収を行うことができ、無駄なく効率的に濾紙を使用することができる省資源性に優れた濾過装置を提供することができる。
【００２１】
請求項６に記載の考案によれば、請求項５に記載の効果に加えて以下のような有利な効果が得られる。
（１）濾紙送り機構による濾過部への濾紙の供給及び回収を行う際に、間隔調整部で試験液供給部と濾液受容部を離間させることにより、濾紙が試験液供給部及び濾液受容部に引っ掛かることを防止でき、濾紙表面に捕捉された汚泥などの異物が試験液供給部に付着したり、濾紙が破断したりすることがない濾紙の搬送の信頼性に優れた濾過装置を提供することができる。
（２）間隔調整部によって試験液供給部と濾液受容部の間隔を調整し、濾紙を挟んだり、開放したりする際に、濾紙送り機構の送り量調整ローラが上下動することにより、濾紙にかかる負荷を吸収してテンションの変化を防止することができ、濾紙の破断などが発生することがなく、濾過作業の信頼性に優れた濾過装置を提供することができる。
【考案を実施するための最良の形態】
【００２２】
以下、本考案の実施の形態における濾紙送り機構及びそれを備えた濾過装置について、図面を参照しながら説明する。
（実施の形態１）
図１は実施の形態１における濾紙送り機構を備えた濾過装置の模式正面図であり、図２は実施の形態１における濾紙送り機構の要部斜視図である。
図１中、１は実施の形態１における濾紙送り機構１０を備え土壌溶出液、廃棄物溶出液、土壌含有量調査試験液、粉流体や樹脂などの溶解液、スラリーなど各種溶液の濾過を行う濾過装置、２は濾過装置１の濾過部、２ａは後述する試験液供給部３を上下動させて後述する濾液受容部４との距離を調整する濾過部２の間隔調整部、３は土壌溶出液、廃棄物溶出液、土壌含有量調査試験液などの分析試験液を供給する濾過部２の試験液供給部、３ａは濾過時に濾紙２０の表面に当接する試験液供給部３の押圧面、４は試験液供給部３から供給され濾紙２０で濾過された分析試験液の濾液を受容する濾過部２の濾液受容部、４ａは濾過時に濾紙２０を支持する濾液受容部４の濾紙受け面、１０は濾過装置１の濾過部２への濾紙２０の供給及び回収を行う実施の形態１における濾紙送り機構、１１は濾過部２への濾紙２０の供給を行う濾紙送り機構１０の繰り出しロール、１２は濾過部２から使用済みの濾紙２０を巻き取って回収する濾紙送り機構１０の巻き取りロール、１３は繰り出しロール１１から濾過部２へ濾紙２０の搬送を行う濾紙送り機構１０の搬送ロール、１４ａは濾過部２の繰り出しロール１１側に配置され濾紙２０を支持する繰り出し側支持ロール、１４ｂは濾過部２の巻き取りロール１２側に配置され濾紙２０を支持する巻き取り側支持ロール、１５は搬送ロール１３と繰り出し側支持ロール１４ａの間で２０濾紙上に上下動自在に載置された濾紙送り機構１０の送り量調整ロール、１６は送り量調整ロール１５の位置を検出する濾紙送り機構１０のロール位置検出部、１６ａは送り量調整ロール１５が上端設定位置にあることを検出するロール位置検出部１６の上端位置センサ、１６ｂは送り量調整ロール１５が下端設定位置にあることを検出するロール位置検出部１６の下端位置センサ、２０は繰り出しロール１１から濾過部２へ断続的に供給され巻き取りロール１２で巻き取られて回収される濾紙である。
【００２３】
次に、濾紙送り機構の詳細について説明する。
図２中、１１ａは繰り出しロール１１の端部に配設された従動ギヤ、１１ｂは従動ギヤ１１ａに噛合され繰り出し駆動部１１ｄからの動力を伝達する駆動ギヤ、１１ｃは駆動ギヤ１１ｂを回転させる駆動軸、１１ｄはロール位置検出部１６で送り量調整ロール１５が上端設定位置にあることを検出した時にロール位置検出部１６で送り量調整ロール１５が下端設定位置に移動したことを検出するまで繰り出しロール１１を回転させて濾紙２０の繰り出しを行う直流モータや交流モータ等のモータを用いた濾紙送り機構１０の繰り出し駆動部、１２ａは巻き取りロール１２の端部に配設された従動ギヤ、１２ｂは従動ギヤ１２ａに噛合され巻き取り駆動部１２ｄからの動力を伝達する駆動ギヤ、１２ｃは駆動ギヤ１２ｂを回転させる駆動軸、１２ｄはロール位置検出部１６で送り量調整ロール１５が下端設定位置にあることを検出した時にロール位置検出部１６で送り量調整ロール１５が上端設定位置に移動したことを検出するまで巻き取りロール１２を回転させて濾紙２０の巻き取りを行う直流モータや交流モータ等のモータを用いた濾紙送り機構１０の巻き取り駆動部、１７は送り量調整ロール１５の両端部が遊嵌される長孔１７ａを有し送り量調整ロール１５を上下動自在に保持して案内する濾紙送り機構１０の上下動案内部である。
【００２４】
次に、ロール位置検出部１６のセンサ位置調整部について説明する。
図３（ａ）は実施の形態１における濾紙送り機構のロール位置検出部のセンサ位置調整部の正面図であり、図３（ｂ）は実施の形態１における濾紙送り機構のロール位置検出部のセンサ位置調整部の断面図である。
図３中、１５ａは送り量調整ロール１５の軸部の端面に埋設された鉄などの磁性金属、１６ｃはロール位置検出部１６の上端位置センサ１６ａ及び下端位置センサ１６ｂの上下方向位置を調整するセンサ位置調整部、１６ｄは上下動案内部１７の長手方向（上下方向）に複数穿設されて上端位置センサ１６ａ及び下端位置センサ１６ｂが固定されるセンサ位置調整部１６ｃの取り付け孔、１６ｅは上端位置センサ１６ａ及び下端位置センサ１６ｂを取り付け孔１６ｄにねじ止めで固定する固定ねじである。
【００２５】
濾紙２０の送り量に応じていずれかの取り付け孔１６ｄを選択し、上端位置センサ１６ａ及び下端位置センサ１６ｂを固定ねじ１６ｅで固定することができる。尚、複数の取り付け孔１６ｄを穿設する代わりに、取り付け孔１６ｄを上下方向に長孔状に形成した場合、上端位置センサ１６ａ又は下端位置センサ１６ｂを任意の位置に固定することができるので、取り付け位置を細かく設定することができ、汎用性に優れる。
ロール位置検出部１６の上端位置センサ１６ａ及び下端位置センサ１６ｂとして、磁性金属１５ａが近接したことを検出するセンサを用いた。これにより、外乱光、ごみ、ホコリ等で誤動作することがなく、確実に送り量調整ロール１５の位置を検出でき、動作安定性、メンテナンス性に優れる。
尚、送り量調整ロール１５は、濾紙２０に負荷するテンションの大きさに合わせて、適宜、質量や直径などを選択することができる。
【００２６】
以上のように構成された実施の形態１における濾紙送り機構を備えた濾過装置の動作について説明する。
図４（ａ）は実施の形態１における濾紙送り機構を備えた濾過装置の初期状態を示す模式正面図であり、図４（ｂ）は実施の形態１における濾紙送り機構を備えた濾過装置の濾紙の繰り出し状態を示す模式正面図であり、図４（ｃ）は実施の形態１における濾紙送り機構を備えた濾過装置の濾紙の巻き取り状態を示す模式正面図であり、図４（ｄ）は実施の形態１における濾紙送り機構を備えた濾過装置の濾過時の状態を示す模式正面図である。尚、ここでは間隔調整部２ａや上下動案内部１７を省略した。
【００２７】
まず、図４（ａ）において、ロール位置検出部１６の上端位置センサ１６ａで送り量調整ロール１５が上端設定位置にあることを検出した時に、繰り出し駆動部１１ｄ（図２参照）により、繰り出しロール１１を回転させて濾紙２０の繰り出しを行う。
次に、図４（ｂ）に示すように、ロール位置検出部１６の下端位置センサ１６ｂで送り量調整ロール１５が下端設定位置に移動したことを検出したら繰り出し駆動部１１ｄを停止し、続いて、図４（ｃ）に示すように、巻き取り駆動部１２ｄ（図２参照）により、巻き取りロール１２を回転させて濾紙２０の巻き取りを行う。ロール位置検出部１６の上端位置センサ１６ａで送り量調整ロール１５が上端設定位置に移動したことを検出したら巻き取り駆動部１２ｄを停止する。
濾紙２０の供給が完了したら、図４（ｄ）に示すように、濾過部２の間隔調整部２ａ（図１参照）により、試験液供給部３を降下させ、試験液供給部３と濾液受容部４の間に濾紙２０を挟んで固定し、濾過を開始する。尚、試験液供給部３を降下させた際に、濾紙２０が下方に移動するが、このとき濾紙送り機構１０の送り量調整ローラ１５が上昇することにより、濾紙２０に負荷がかからず、テンションが変化しないので、濾紙２０の破断などが発生せず、確実に濾過作業を行うことができる。
濾液受容部４又は濾液受容部４に接続された濾液回収部（図示せず）などに予め設定した量の濾液が溜まったら濾過作業を終了する。尚、濾液の量は液面センサなどで検出することができる。また、回収する濾液の量は、濾過対象の溶液の種類等に応じて適宜、選択することができる。
【００２８】
以上の動作を断続的に繰り返すことにより、濾過部２への新しい濾紙２０の供給と使用済みの濾紙２０の回収を行いながら、効率的に濾過を行うことができる。尚、濾紙２０の回収及び供給は１回の濾過が終了し、次の濾過を開始するまでに行えばよい。
間隔調整部２ａとしては、モータを用いた送り螺子機構を有するものや、油圧、水圧、空気圧シリンダ等が好適に用いられる。本実施の形態では、間隔調整部２ａにより試験液供給部３のみを上下動させたが、間隔調整部２ａはこれに限定されるものではなく、試験液供給部３又は濾液受容部４の少なくともいずれか一方を上下動させることができればよい。
尚、試験液供給部３と濾液受容部４を離間させ、濾紙２０を開放した際に、繰り出し側支持ロール１４ａ及び巻き取り側支持ロール１４ｂによって支持される濾紙２０の支持高さよりも、濾液受容部４の濾紙受け面４ａの位置を低く設定することにより、濾紙２０の供給及び回収を行う際に、濾紙２０が試験液供給部３や濾液受容部４に接触することを防止している。
【００２９】
本実施の形態では、上端側及び下端側に上端位置センサ１６ａ及び下端位置センサ１６ｂを配置し、送り量調整ロール１５の位置を磁気によって検出したが、上端位置センサ１６ａ及び下端位置センサ１６ｂは、これに限定されるものではなく、その他の非接触式センサを用いてもよいし、上端設定位置及び下端設定位置で直接、送り量調整ロール１５に接触してその位置を検出する接触式のセンサを用いることもできる。尚、非接触式のセンサとして、送り量調整ロール１５との距離を検出できるものを用いる場合は、上端位置センサ１６ａ又は下端位置センサ１６ｂの少なくともいずれか一方を備えていれば、上端位置及び下端位置の両方を検出することが可能である。
尚、上端位置センサ１６ａや下端位置センサ１６ｂが送り量調整ロール１５との距離を検出するセンサである場合は、センサから上端設定位置又は下端設定位置までの距離の設定値を変更するだけでも濾紙２０の送り量を調整することができるので、センサ位置調整部１６ｃを設ける必要はない。濾紙２０の送り量は、濾過部２で濾過する溶液の種類や濾紙２０の材質などによって変化する濾紙２０の濡れ範囲に応じて設定される。
【００３０】
本実施の形態では、繰り出し駆動部１１ｄ及び巻き取り駆動部１２ｄとして、直流モータや交流モータ等のモータを用いたが、これに限定されるものではなく、繰り出しロール１１及び巻き取りロール１２を一方向に一定速度で回転させることができるものであればよい。また、本実施の形態では、従動ギヤ１１ａと駆動ギヤ１１ｂを組み合わせることにより、繰り出し駆動部１１ｄ及び巻き取り駆動部１２ｄを小型化したが、繰り出しロール１１及び巻き取りロール１２の軸に直接、繰り出し駆動部１１ｄ及び巻き取り駆動部１２ｄを取り付けてもよい。
尚、濾紙２０が破断し、送り量調整ロール１５が落下した際に、ランプの点灯や点滅或いは警告音などにより濾紙２０の破断を知らせる警報部を備えた場合、直ちに新たな濾紙２０を供給して濾過作業を行うことができ、取り扱い性、信頼性に優れる。
【００３１】
以上のように実施の形態１における濾紙送り機構は構成されているので、以下のような作用が得られる。
（１）繰り出しロール１１及び巻き取りロール１２の間に配設され繰り出しロール１１から濾過部２へ濾紙２０の搬送を行う搬送ロール１３と濾過部２の繰り出しロール１１側に配置され濾紙２０を支持する繰り出し側支持ロール１４ａの間で濾紙２０上に上下動自在に載置された送り量調整ロール１５を有するので、送り量調整ロール１５の質量により、濾紙２０に対して常に一定のテンションをかけることができ、濾紙２０の蛇行を確実に防止することができ、搬送の安定性に優れると共に、濾紙２０が破断した際には、送り量調整ロール１５が落下することにより、簡便かつ確実に濾紙２０の破断を検出することができ、取り扱い性に優れる。
（２）ロール位置検出部１６で送り量調整ロール１５が上端設定位置にあることを検出した時に、ロール位置検出部１６で送り量調整ロール１５が下端設定位置に移動したことを検出するまで繰り出しロール１１を回転させて濾紙２０の繰り出しを行う繰り出し駆動部１１ｄと、ロール位置検出部１６で送り量調整ロール１５が下端設定位置にあることを検出した時に、ロール位置検出部１６で送り量調整ロール１５が上端設定位置に移動したことを検出するまで巻き取りロール１２を回転させて濾紙２０の巻き取りを行う巻き取り駆動部１２ｄを有することにより、送り量調整ロール１５の高さ方向の位置に基づいて、濾紙２０の供給と回収を行うので、経時的に繰り出しロール１１及び巻き取りロール１２の径が変化しても、確実に一定量の濾紙２０の供給と回収を断続的に繰り返し行うことができ、制御が容易で、汎用性、動作安定性に優れる。
（３）繰り出しロール１１を回転させて濾紙２０の繰り出しを行う繰り出し駆動部１１ｄと、巻き取りロール１２を回転させて濾紙２０の巻き取りを行う巻き取り駆動部１２ｄが独立しているので、確実に一定量の濾紙２０の供給と回収を行うことができ、動作安定性に優れる。
（４）ロール位置検出部１６では、送り量調整ロール１５が上端設定位置或いは下端設定位置にあることのみを検出すればよいので、送り量調整ロール１５の位置を制御する必要がなく、制御が容易で取り扱い性に優れる。
（５）上端設定位置から下端設定位置までの距離により濾紙２０の送り量を決定することができるので、濾過部２で濾過する溶液の種類や濾紙の材質などによって変化する濾紙２０の濡れ範囲に応じて、上端設定位置又は下端設定位置の少なくともいずれか一方を調整することにより、無駄なく効率的に濾紙２０の供給及び回収を行うことができ、省資源性に優れる。
（６）濾過部２の繰り出しロール１１側に配置され濾紙２０を支持する繰り出し側支持ロール１４ａと、濾過部２の巻き取りロール１２側に配置され濾紙２０を支持する巻き取り側支持ロール１４ｂを有することにより、濾過部２の前後で確実に濾紙２０を支持することができ、濾紙２０の搬送性に優れる。
（７）送り量調整ロール１５の両端部を上下動自在に保持して案内する上下動案内部１７を有することにより、送り量調整ロール１５を確実に上下動させることができ、濾紙２０の幅全体に均一にテンションをかけることができ、濾紙２０の搬送の安定性に優れる。
（８）送り量調整ロール１５が上下動案内部１７で保持されているので、濾紙２０が切れた場合でも、送り量調整ロール１５が外部に落下することがなく、信頼性に優れる。
（９）ロール位置検出部１６が、送り量調整ロール１５が上端設定位置にあることを検出する上端位置センサ１６ａと、送り量調整ロール１５が下端設定位置にあることを検出する下端位置センサ１６ｂを有することにより、上端位置センサ１６ａ及び下端位置センサ１６ｂでそれぞれ独立して、送り量調整ロール１５が、上端設定位置又は下端設定位置にあることを検出することができ、位置検出精度の信頼性に優れ、繰り出しロール１１や巻き取りロール１２の径が変化しても、常に安定して一定量の濾紙２０を搬送することができ、濾紙２０の供給及び回収の動作安定性に優れる。
（１０）濾紙２０が切れた場合、送り量調整ロール１１が下端位置から移動しなくなるので、所定時間経過後に下端位置センサ１６ｂによって濾紙２０が切れたことを検知することができ、取り扱い性、信頼性に優れる。
（１１）ロール位置検出部１６の上端位置センサ１６ａ及び下端位置センサ１６ｂの少なくともいずれか一方の上下方向位置を調整するセンサ位置調整部１６ｃを有することにより、簡便に上端設定位置から下端設定位置までの距離を変更して濾紙２０の送り量を調整することができ、汎用性、取り扱い性に優れる。
【００３２】
以上のように実施の形態１における濾紙送り機構を備えた濾過装置は構成されているので、以下のような作用が得られる。
（１）試験液供給部３と濾液受容部４の間に濾紙送り機構１０から供給される濾紙２０を通すことにより、濾過部２で真空又は加圧濾過を行うことができる。
（２）濾紙送り機構１０により、濾紙２０に対して常に一定のテンションをかけることができ、濾紙２０の蛇行を確実に防止することができ、濾過部２での濾過条件の安定性に優れる。
（３）濾紙送り機構１０により、濾過部２に対して断続的に濾紙２０の供給及び回収を行うことができ、無駄なく効率的に濾紙２０を使用することができ省資源性に優れる。
（４）濾紙送り機構１０による濾過部２への濾紙２０の供給及び回収を行う際に、試験液供給部３及び濾液受容部４と濾紙２０が接触しないように試験液供給部３と濾液受容部４を離間させる間隔調整部２ａを有することにより、濾紙２０が試験液供給部３及び濾液受容部４に引っ掛かることがなく、濾紙２０表面に捕捉された汚泥などの異物が試験液供給部３に付着したり、濾紙２０が破断したりすることがなく、濾紙２０の搬送の信頼性に優れる。
（５）濾過部２で濾過を行う際には、間隔調整部２ａにより、試験液供給部３と濾液受容部４の間に濾紙２０を挟んで固定することができるので、確実に真空又は加圧濾過を行うことができ、濾過の信頼性に優れる。
（６）間隔調整部２ａによって試験液供給部３と濾液受容部４の間隔を調整し、濾紙２０を挟んだり、開放したりする際に濾紙２０が移動するが、濾紙送り機構１０の送り量調整ローラ１５が上下動することにより、濾紙２０に負荷がかからず、テンションが変化しないので、濾紙２０の破断などが発生することがなく、濾過作業の信頼性に優れる。
【産業上の利用可能性】
【００３３】
本考案は、簡素な構造で濾紙に常に一定のテンションをかけることができ、濾紙の蛇行を確実に防止することや濾紙の破断を検出することができ、搬送の安定性に優れ、濾紙の送り量を簡便に調整することができ、汎用性に優れ、濾紙の使用量によって濾紙の供給を行う繰り出しロール及び使用済みの濾紙の回収を行う巻き取りロールの径が変化しても、複雑な制御を行うことなく、簡便かつ確実に一定量の濾紙の供給及び回収を行うことができ、汎用性、動作安定性に優れる濾紙送り機構の提供、及び断続的に濾紙の供給及び回収を行うことができ、無駄なく効率的に濾紙を使用することができる省資源性に優れる濾過装置の提供を行うことができ、土壌溶出液、廃棄物溶出液、土壌含有量調査試験液、粉流体や樹脂などの溶解液、スラリーなど各種溶液の濾過作業の効率性を向上させることができる。
【図面の簡単な説明】
【００３４】
【図１】実施の形態１における濾紙送り機構を備えた濾過装置の模式正面図
【図２】実施の形態１における濾紙送り機構の要部斜視図
【図３】（ａ）実施の形態１における濾紙送り機構のロール位置検出部のセンサ位置調  整部の正面図（ｂ）実施の形態１における濾紙送り機構のロール位置検出部のセンサ位  置調整部の断面図
【図４】（ａ）実施の形態１における濾紙送り機構を備えた濾過装置の初期状態を示す  模式正面図（ｂ）実施の形態１における濾紙送り機構を備えた濾過装置の濾紙の繰り出  し状態を示す模式正面図（ｃ）実施の形態１における濾紙送り機構を備えた濾過装置の  濾紙の巻き取り状態を示す模式正面図（ｄ）実施の形態１における濾紙送り機構を備え  た濾過装置の濾過時の状態を示す模式正面図
【符号の説明】
【００３５】
１  濾過装置
２  濾過部
２ａ  間隔調整部
３  試験液供給部
３ａ  押圧面
４  濾液受容部
４ａ  濾紙受け面
１０  濾紙送り機構
１１  繰り出しロール
１１ａ，１２ａ  従動ギヤ
１１ｂ，１２ｂ  駆動ギヤ
１１ｃ，１２ｃ  駆動軸
１１ｄ  繰り出し駆動部
１２  巻き取りロール
１２ｄ  巻き取り駆動部
１３  搬送ロール
１４ａ  繰り出し側支持ロール
１４ｂ  巻き取り側支持ロール
１５  送り量調整ロール
１５ａ  磁性金属
１６  ロール位置検出部
１６ａ  上端位置センサ
１６ｂ  下端位置センサ
１６ｃ  センサ位置調整部
１６ｄ  取り付け孔
１６ｅ  固定ねじ
１７  上下動案内部
１７ａ  長孔
２０  濾紙
【図１】
0003129213.tif 000003
【図２】
0003129213.tif 000004
【図３】
0003129213.tif 000005
【図４】
0003129213.tif 000006